(57)【要約】【課題】スポットライトにおいて、灯体をその水平回動位置に拘らず安定に支持可能とする。【解決手段】スポットライト１は、灯体４を点灯させる安定器２が収容される筐体３と、筐体３から延出され、灯体４が接続されるアーム５とを備える。このアーム５は軸部５３を有する。筐体３の底面部３１ａの略中央には、この軸部５３を支持する軸受部３１ｂが形成されている。アーム５の軸部５３は、軸受部３１ｂに、底面部３１ａの略中央を通る法線Ｌを中心に水平回動自在に支持されている。このため、灯体４の重さに起因して筐体３に掛かる負荷を、灯体４の水平回動位置に拘らず軸受部３１ｂの周囲に分散させることができるので、灯体４をその水平回動位置に拘らず安定に支持することができる。【選択図】図５
2008293860.tif 000002
【特許請求の範囲】
【請求項１】
灯体を点灯させる安定器が収容される筐体と、
前記筐体から延出され、灯体が接続されるアームと、を備えたスポットライトにおいて、
前記アームは、前記筐体の底面部の略中央に、その略中央を通る法線を中心に水平回動自在に支持されていることを特徴とするスポットライト。
【発明の詳細な説明】
【技術分野】
【０００１】
本発明は、天井面等に設置されるスポットライトに関する。
【背景技術】
【０００２】
従来から、灯体と、灯体を点灯させる安定器と、この安定器を収容する筐体とを備え、この筐体の一側端に、灯体が、水平軸回りに俯仰自在で、且つ、垂直軸まわりに旋回自在に取り付けられて成るスポットライトが知られている（例えば、特許文献１参照）。筐体の一側端には、旋回アームが垂直軸回りに回動自在な状態で水平方向に張り出され、この旋回アームの先端部に灯具が旋回アーム軸心まわりに回動自在に連結されている。
【０００３】
しかしながら、特許文献１に記載の技術では、旋回アームは筐体の側端から張り出しているので、灯体の重さに起因して旋回アームの根元部分から筐体に掛かる負荷を分散させることが難しい。このため、灯体の支持が不安定になる虞がある。
【特許文献１】特開２０００−８２３０１号公報
【発明の開示】
【発明が解決しようとする課題】
【０００４】
本発明は、上記の従来の問題を解決するためになされたものであり、灯体をその水平回動位置に拘らず安定に支持して成るスポットライトを提供することを目的とする。
【課題を解決するための手段】
【０００５】
上記目的を達成するために請求項１の発明は、灯体を点灯させる安定器が収容される筐体と、前記筐体から延出され、灯体が接続されるアームと、を備えたスポットライトにおいて、前記アームは、前記筐体の底面部の略中央に、その略中央を通る法線を中心に水平回動自在に支持されているものである。
【発明の効果】
【０００６】
請求項１の発明によれば、灯体の重さに起因して筐体に掛かる負荷を、灯体の水平回動位置に拘らず底面部の灯体支持部分の周囲に分散させることができる。このため、灯体をその水平回動位置に拘らず安定に支持することができる。
【発明を実施するための最良の形態】
【０００７】
以下、本発明の一実施形態に係るスポットライトについて図面を参照して説明する。図１乃至図３（ａ）（ｂ）は、本実施形態に係るスポットライト１の構成を示す。このスポットライト１は、例えば天井面等に設置されて吊り下げ固定され、商業空間の商品演出や建築空間の空間演出等のため照明光を対象物に照射する照明装置である。スポットライト１は、光源を点灯させる安定器２が収容される筐体３と、この筐体３から延出され、灯体４が接続されるアーム５と、を備える。灯体４は、アーム５の下端部に取り付けられ、光源が装着されるソケット６と、このソケット６に装着され、安定器２により点灯駆動される光源７と、光源７から出射される光を反射する反射鏡８と、アーム５の下端部に回動自在に支持され、反射鏡８が固定されるセード９と、を備える。アーム５は、筐体３から吊り下げ固定されており、筐体３の底面の略中心を通る法線を中心に水平回動自在に支持されている。
【０００８】
安定器２は、例えばインバータ式の安定器から成る。筐体３は、上面が開口した筐体本体３１と、その開口を塞ぐカバー３２とにより構成される。筐体本体３１は、安定器２と、安定器２に給電するプラグ１０とを収容する。プラグ１０は、不図示の配線ダクトとの接続を可能にするため一部が露出するようにカバー３２に固定されている。筐体本体３１の底面部の略中央には、アーム５の端部が嵌挿される孔（不図示）が形成されている。
【０００９】
アーム５は、中空筒状体であり、水平部５１と、水平部５１の一端からこの水平部５１と略９０度の角度を持って下方に延びる垂直部５２とにより構成されている。水平部５１の他端には、上方に延びる略円筒状の軸部５３が設けられている。この軸部５３は筐体本体３１の底面部の孔に挿し込まれ、アーム５の水平回動が可能となるように支持される。軸部５３の先端部は、上記の孔に嵌挿され、筐体本体３１内部に突き抜ける。筐体本体３１内部に突き抜けた軸部５３の先端部には、回動範囲を規制するための回動止め金具５５が嵌着される。さらに、軸部５３の最先端部には、ナット５６が取り付けられる。
【００１０】
垂直部５２の下端には、ソケット６を取り付けるためのソケット取付部５４が形成されている。このソケット取付部５４は、略円筒状の形状を有し、軸部５３側で、水平部５１と略平行な方向に突出している。ソケット取付部５４の先端部では、外周の一部が切欠されており、段差部５４ａが形成されている。ソケット取付部５４は、ソケット６取付時にソケット６を内包する。ソケット６には、光源７の口金が固定される。ソケット６から導出されるリード線（不図示）は、このアーム５の内側に収容され、筐体３内の安定器２に導かれる。アーム５により導かれたソケット６のリード線は、筐体本体３１内で安定器２と接続される。
【００１１】
光源７は、例えば、セラミックメタルハライドランプにより構成される。このセラミックメタルハライドランプは背高で、外形が略円柱状であり、その口金は例えばスクリュータイプである。この光源７は、その長手方向が水平方向と略平行になるように配設されている。光源７の長手方向と、ソケット取付部５４の突出方向とは略平行である。また、光源７の長手方向の中心軸と、ソケット取付部５４の中心軸とは略一致している。光源７の構成及び形状は上記に限定されない。
【００１２】
反射鏡８は、略円錐台状又は椀状であり、その径は光源７のバルブ部分の長さより大きい。この反射鏡８には、前面と背面とに開口８１、８２が設けられている。この前面の開口８１は光出射用の開口であり、背面の開口８２より径が大きい。背面の開口８２は放熱用の開口である。光源７は、この反射鏡８の前方に、また、光源７の長手方向の中心軸が反射鏡８の開口８１の開口面と略平行になるように配置されている。さらに、光源７は、中心が反射鏡８の焦点位置と重なるように配設されている。
【００１３】
セード９は、前面が開口した桶状で且つ正面視略円形状のセード本体９１と、このセード本体９１の前面開口に対応した大きさを有する略環状の前面枠９２とにより構成される。セード本体９１の大きさは、反射鏡８の大きさに対応しており、セード本体９１の径は、光源７のバルブ部分の長さより大きい。セード本体９１の背面には、放熱用の開口９１ａが設けられており、この開口９１ａの位置は、反射鏡８の放熱用の開口８２と対応している。前面枠９２は、セード本体９１の前面開口への嵌め込み及び回転によりセード本体９１への取り付けが可能に構成されている。反射鏡８は、セード本体９１の前面開口から嵌め込まれ、固定用バネ１１によりセード本体９１内部に押し当てられて固定される。このようにしてセード本体９１は反射鏡８を内包する。セード本体９１の前面開口には、反射鏡８がセード本体９１に内包された状態で、前面枠９２が取り付けられる。
【００１４】
セード本体９１の側部には、略円筒状の軸受部９１ｂが貫通して形成されている。この軸受部９１ｂには、アーム５のソケット取付部５４が嵌挿される。ソケット取付部５４の中心軸は、光源７の長手方向の中心軸と略一致しているので、セード９は、ソケット取付部５４が軸受部９１ｂに嵌挿された状態で、ソケット取付部５４を軸とし、光源７の長手方向の中心軸を中心に回動自在となる。このため、光源７を動かすことなく、セード９を、ソケット取付部５４を軸として垂直方向すなわち仰角方向に回動させるだけで、光照射方向を上方向又は下方向に変更することができる。
【００１５】
軸受部９１ｂの内側には、セード９の回動範囲を規制するための突起状の回動ストッパ８１ｃが形成されている。この回動ストッパ８１ｃが、ソケット取付部５４の回動時にその段差部５４ａと当接することにより、セード９の回動範囲が規制される。また、軸受部９１ｂには、ソケット取付部５４の外周形状に対応して成形された円弧状の板ばね部材８３が配設されている。この板ばね部材８３は、セード本体９１の前面開口側に設けられており、軸受部９１ｂに挿入されたソケット取付部５４をセード本体９１の背面側に押圧する。このため、ソケット取付部５４の抜け落ち防止及び軸力の確保を図ることができる。
【００１６】
図４（ａ）（ｂ）乃至図６（ａ）乃至（ｃ）は、スポットライト１におけるアーム５の水平回動構造を示す。筐体本体３１の底面部３１ａの略中央には、略円筒状又は略環状の軸受部３１ｂが形成されており、軸受部３１ｂの孔３１ｃは筐体本体３１を垂直方向に貫通している。この孔３１ｃの径は、アーム５の軸部５３の外径より僅かに大きい。軸部５３は、この孔３１ｃに下方から嵌挿される。このようにして、アーム５は、筐体本体３１の底面部３１ａの略中心を通る法線Ｌ（一点鎖線で示す）を中心に水平回動自在に支持され、軸部５３は、筐体本体３１の底面部３１ａにおいて灯体４を支持する部分となる。
【００１７】
アーム５の軸部５３の先端部は、筐体本体３１内部に突き抜ける。筐体本体３１内部に突き抜けた軸部５３の先端部には、略環状の回動止め金具５５が嵌着される。この回動止め金具５５の外径は、軸受部３１ｂの孔３１ｃの径より大きい。さらに、軸部５３の最先端部には、ナット５６が取り付けられる。このナット５６の外径は、回動止め金具５５の内径より大きい。このため、筐体本体３１内側で、回動止め金具５５が孔３１ｃの周縁部につかえ、上記のナット等がこの回動止め金具５５につかえるので、アーム５が筐体本体３１から脱落するのを防止することができる。
【００１８】
また、軸部５３の先端部は、外径が一部を残してその下部より小さくなっている。この残された部分は、同じ外周上の他の部分よりも突出しており、突出部５３ａを形成している。回動止め金具５５の内周部には、内側に向けて突出した突起部５５ａが形成されている。この突起部５５ａの個数は例えば１個である。回動止め金具５５の外周部には、外側に向けて突出した突起部５５ｂが形成されている。この突起部５５ｂの個数は例えば２個である。２個の突起部５５ｂは、互いに略１８０度の角度をもって配設されている。筐体本体３１の底面部内側には、平面視略円弧状のストッパ３１ｄが凸設されている。その個数は例えば２個である。ストッパ３１ｄは、回動止め金具５５の外周に沿うように成形されている。
【００１９】
軸部５３の水平回動時には、回動止め金具５５内側の突起部５５ａが、軸部５３先端部の突出部５３ａと当接することにより、軸部５３の回動範囲を規制する。この規制により、例えば、軸部５３の回動可能な角度が、略３００度とされる。軸部５３の突出部５３ａが回動止め金具５５の突起部５５ａと当接した後、回動止め金具５５は、軸部５３の回動に伴って供回りする。回転止め金具５５の供回り時に、筐体本体３１内部のストッパ３１ｄは、回転止め金具５５外側の突起部５５ｂと当接することにより、回転止め金具５５の回動範囲を規制する。この規制により、例えば、回転止め金具５５の回動可能な角度は、略６５度とされる。従って、軸部５３の水平回動可能な範囲は、合計で略３６０度となるので、スポットライト１周囲のいずれの方向にも光を照射することが可能となる。
【００２０】
上記の構成において、軸受部３１ｂは、筐体本体３１の底面部３１ａに形成されている。アーム５の軸部５３は、この軸受部３１ｂの孔３１ｃに下方から嵌挿され、孔３１ｃの上側の周縁部に回動止め金具５５及びナット５６を用いて掛止されている。このようにして、灯体４は筐体本体３１に吊り下げられ、軸部５３は、軸受部３１ｂに、法線Ｌを中心に水平回動自在に支持されている。従って、灯体４の重さに起因して筐体本体３１に掛かる負荷を、灯体４の水平回動位置に拘らず、底面部４１ａの軸受部３１ｂの周囲に分散させることができる。また、軸受部３１ｂの底面部３１ａにおける位置は略中央であるため、負荷を軸受部３１ｂの周囲に確実に分散させることができる。このため、灯体４をその水平回動位置に拘らず安定に支持することができる。
【００２１】
なお、本発明は、上記の実施形態の構成に限定されるものでなく、使用目的に応じ、様々な変形が可能である。例えば、スポットライト１は、天井面に限定されず、壁面又は床面等に設置可能に構成されていてもよい。
【図面の簡単な説明】
【００２２】
【図１】本発明の一実施形態に係るスポットライトの斜視図。
【図２】上記スポットライトの分解斜視図。
【図３】（ａ）は上記スポットライトにおいてセード部分をアーム部分から取り外したときの斜視図、（ｂ）は同アーム部分の斜視図。
【図４】（ａ）は上記スポットライトにおいて灯体を筐体から取り外したときの斜め下方からの斜視図、（ｂ）は同スポットライトの（ａ）とは別の方向からの斜視図。
【図５】上記スポットライトの部分断面図。
【図６】（ａ）は上記スポットライトの正面図、（ｂ）は（ａ）のＡ−Ａ’線断面図、（ｃ）は（ｂ）の破線枠Ｂ部分の拡大図。
【符号の説明】
【００２３】
１  スポットライト
２  安定器
３  筐体
３１  筐体本体
３１ａ  底面部
３１ｂ  軸受部
４  灯体
５  アーム
６  ソケット
７  光源
８  反射鏡
９  セード
Ｌ  法線
【図１】
2008293860.tif 000003
【図２】
2008293860.tif 000004
【図３】
2008293860.tif 000005
【図４】
2008293860.tif 000006
【図５】
2008293860.tif 000007
【図６】
2008293860.tif 000008